(57)【要約】【課題】回転斜面の左右揺動によりユーザを揉むことができ、偏心ホイールによりユーザを叩くことができ、そして揉み按摩のモード、又は揉み按摩をしながら叩き按摩をするモードを選択して按摩できる按摩装置を提供する。【解決手段】ケース部を含み、ケース部の内部に動力源が設けられ、動力源はモータを採用してもよく、モータが第１伝動装置を駆動して、第１伝動装置が第２伝動装置を駆動して、第２伝動装置が回転斜面構造を駆動して、回転斜面構造の回転により揺動アームが左右に揺動され、揺動アームには、按摩ヘッド支持台と、赤外線ランプ板と、二つの按摩ヘッドと、が設けられ、このように、二つの按摩ヘッドにより揉み按摩動作が発生され、第１伝動装置は第３伝動装置を駆動してもよく、この場合には、第３伝動装置が偏心ホイールを駆動して、二つの按摩ヘッドにより叩き按摩動作が発生される。【選択図】図２
0003181628.tif 000002
【実用新案登録請求の範囲】
【請求項１】
ケース部と、
モータを採用してもよく、前記モータが前記ケース部の内部に組み付けられる動力源と、
ウォームギアと、第１伝動軸と、第１ギアと、第２ギアと、第３ギアと、を含み、前記ケース部の内部に組み付けられ、前記モータのシャフトは、前記ウォームギアに固定され、前記ウォームギアを駆動でき、前記第１伝動軸には、前記第１ギアと、前記第２ギアと、が固定され、前記第１伝動軸に一方向軸受が組み付けられ、前記一方向軸受の外周面に前記第３ギアが組み付けられ、前記ウォームギアは前記第１伝動軸に設けられる前記第１ギアを駆動する一組の第１伝動装置と、
第２伝動軸と、大径ギアと、を含み、前記ケース部の内部に組み付けられ、前記第１伝動装置の前記第２ギアが前記大径ギアと噛合い、前記大径ギアは、前記第２伝動軸に固定され、前記第２伝動軸を駆動できる一組の第２伝動装置と、
回転斜面構造と、揺動アームと、按摩ヘッド支持台と、二つの按摩ヘッドと、を含み、前記ケース部の内部から前記ケース部の外部に突出しており、前記回転斜面構造は前記第２伝動軸に固定され、これにより、前記第２伝動軸は前記回転斜面構造を駆動して回転でき、前記揺動アームは前記回転斜面構造に当接しており、前記回転斜面構造の回転により、前記揺動アームが左右に揺動され、前記揺動アームに前記按摩ヘッド支持台が組み付けられ、これにより、前記按摩ヘッド支持台も左右に揺動され、前記按摩ヘッド支持台に按摩ヘッドが組み付けられ、前記按摩ヘッドは左右に揺動してユーザを揉むことができる少なくとも一組の揉み装置と、
を含むことを特徴とする揉み按摩装置。
【請求項２】
第３伝動軸と、第４ギアと、第５ギアと、第４伝動軸と、第６ギアと、を含み、前記ケース部の内部に組み付けられ、前記第１伝動装置により、一方向軸受を有する前記第３ギアが伝動され、前記第３ギアにより前記第４ギアが駆動され、前記第４ギアと前記第５ギアとが前記第３伝動軸に固定され、前記第５ギアは前記第４伝動軸に固定される前記第６ギアと噛合う少なくとも一組の第３伝動装置と、
前記ケース部の内部から前記ケース部の外部に突出しており、前記第４伝動軸に偏心ホイールが設けられ、前記偏心ホイールに偏心軸が枢着され、前記偏心軸は、ユニバーサルジョイントを介してレバー押えブロックと連接しており、前記レバー押えブロックは前記按摩ヘッド支持台の傍に固定され、前記モータが逆転しているときに、前記偏心ホイールは前記按摩ヘッドを駆動して叩き按摩動作を発生し、このとき、前記按摩ヘッドは揉み按摩動作を同期に行っている少なくとも一組の叩き装置と、
を更に、含むことを特徴とする、請求項１に記載の揉み按摩装置。
【請求項３】
二つの前記按摩ヘッドの内部に赤外線ランプ板が設けられ、前記赤外線ランプ板による温湿布効果は按摩の補助となることを特徴とする、請求項２に記載の揉み按摩装置。
【請求項４】
按摩器の内部に取り付けられ、その全ての前記按摩ヘッドは前記按摩器の円弧状を呈する裏面に向いており、前記按摩器の両端にハンドルがそれぞれ設けられ、ユーザは二つの前記ハンドルを握ることができ、前記按摩器の円弧度がユーザの背部の円弧度に丁度合うことを特徴とする、請求項２に記載の揉み按摩装置。
【請求項５】
一方向軸受と、第１プーリーと、第２プーリーと、ベルトと、第５伝動軸と、を含み、前記ケース部の内部に組み付けられ、前記第１伝動装置により、一方向軸受を有する前記第１プーリーが伝動され、前記第１プーリーにより前記第２プーリーが駆動され、前記第２プーリーが前記第５伝動軸を駆動する少なくとも一組の第３伝動装置と、
前記ケース部の内部から前記ケース部の外部に突出しており、前記第５伝動軸に偏心ホイールが設けられ、前記偏心ホイールに偏心軸が枢着され、前記偏心軸は、ユニバーサルジョイントを介してレバー押えブロックと連接しており、前記レバー押えブロックは前記按摩ヘッド支持台の傍に固定され、前記モータが逆転しているときに、前記偏心ホイールは前記按摩ヘッドを駆動して叩き按摩動作を発生し、このとき、前記按摩ヘッドは揉み按摩動作を同期に行っている少なくとも一組の叩き装置と、
を更に、含むことを特徴とする、請求項１に記載の揉み按摩装置。
【考案の詳細な説明】
【技術分野】
【０００１】
本考案は、按摩器に関し、特に、回転斜面の左右揺動によりユーザを揉むことができ、偏心ホイールによりユーザを叩くことができる按摩装置に関するものである。
【背景技術】
【０００２】
国民は、日常生活が極めて忙しいため、暇があれば、家に帰って休むことが一般的である。しかし、仕事によるストレスにより、腰が酸っぱくて背部が痛い国民は、家のうちに市販している按摩器を利用して、疲労及びストレスを解消する。
【０００３】
しかし、従来の按摩器は、単純な転がり按摩動作だけを提供でき、疲労及びストレスを有効に解消できず、そして提供できる按摩動作は、極めて単調であり、変化が少ないため、ユーザがある期間に利用すると、持続に利用する意欲が無くなってしまうという問題があった。
【考案の概要】
【考案が解決しようとする課題】
【０００４】
本考案の主な目的は、動力源が回転斜面と偏心ホイールとを伝動して、回転斜面の左右揺動によりユーザを揉むことができ、偏心ホイールによりユーザを叩くことができ、そして偏心ホイールに一方向軸受を設けることにより、揉み按摩のモード、又は揉み按摩をしながら叩き按摩をするモードを選択して按摩できる揉み按摩装置を提供することにある。
【課題を解決するための手段】
【０００５】
本考案の揉み按摩装置は、ケース部と、モータを採用してもよく、モータがケース部の内部に組み付けられる動力源と、ウォームギアと、第１伝動軸と、第１ギアと、第２ギアと、第３ギアと、を含み、ケース部の内部に組み付けられ、モータのシャフトは、ウォームギアに固定され、ウォームギアを駆動でき、第１伝動軸には、第１ギアと、第２ギアと、が固定され、第１伝動軸に一方向軸受が組み付けられ、一方向軸受の外周面に第３ギアが組み付けられ、ウォームギアは第１伝動軸に設けられる第１ギアを駆動する一組の第１伝動装置と、第２伝動軸と、大径ギアと、を含み、ケース部の内部に組み付けられ、第１伝動装置の第２ギアが大径ギアと噛合い、大径ギアは、第２伝動軸に固定され、第２伝動軸を駆動できる一組の第２伝動装置と、回転斜面構造と、揺動アームと、按摩ヘッド支持台と、二つの按摩ヘッドと、を含み、ケース部の内部からケース部の外部に突出しており、回転斜面構造は第２伝動軸に固定され、これにより、第２伝動軸は回転斜面構造を駆動して回転でき、揺動アームは回転斜面構造に当接しており、回転斜面構造の回転により、揺動アームが左右に揺動され、揺動アームに按摩ヘッド支持台が組み付けられ、これにより、按摩ヘッド支持台も左右に揺動され、按摩ヘッド支持台に按摩ヘッドが組み付けられ、按摩ヘッドは左右に揺動してユーザを揉むことができる少なくとも一組の揉み装置と、を含むことを特徴とする。
【０００６】
本考案の揉み按摩装置は、更に、第３伝動軸と、第４ギアと、第５ギアと、第４伝動軸と、第６ギアと、を含み、ケース部の内部に組み付けられ、第１伝動装置により、一方向軸受を有する第３ギアが伝動され、第３ギアにより第４ギアが駆動され、第４ギアと第５ギアとが第３伝動軸に固定され、第５ギアは第４伝動軸に固定される第６ギアと噛合う少なくとも一組の第３伝動装置と、ケース部の内部からケース部の外部に突出しており、第４伝動軸に偏心ホイールが設けられ、偏心ホイールに偏心軸が設けられ、偏心軸は、ユニバーサルジョイントを介してレバー押えブロックと連接しており、レバー押えブロックは按摩ヘッド支持台の傍に固定され、モータが逆転しているときに、偏心ホイールは按摩ヘッドを駆動して叩き按摩動作を発生し、このとき、按摩ヘッドは揉み按摩動作を同期に行っている少なくとも一組の叩き装置と、を含むことを特徴とする。
【０００７】
本考案の揉み按摩装置は、二つの按摩ヘッドの内部に赤外線ランプ板が設けられ、赤外線ランプ板による温湿布効果は按摩の補助となることを特徴とする。
【０００８】
本考案の揉み按摩装置によると、按摩器の内部に取り付けられ、その全ての按摩ヘッドは按摩器の円弧状を呈する裏面に向いており、按摩器の両端にハンドルがそれぞれ設けられ、ユーザは二つのハンドルを握ることができ、按摩器の円弧度がユーザの背部の円弧度に丁度合うことを特徴とする。
【０００９】
本考案の揉み按摩装置は、更に、一方向軸受と、第１プーリーと、第２プーリーと、ベルトと、第５伝動軸と、を含み、ケース部の内部に組み付けられ、第１伝動装置により、一方向軸受を有する第１プーリーが伝動され、第１プーリーにより第２プーリーが駆動され、第２プーリーが第５伝動軸を駆動する少なくとも一組の第３伝動装置と、ケース部の内部からケース部の外部に突出しており、第５伝動軸に偏心ホイールが設けられ、偏心ホイールに偏心軸が枢着され、偏心軸は、ユニバーサルジョイントを介してレバー押えブロックと連接しており、レバー押えブロックは按摩ヘッド支持台の傍に固定され、モータが逆転しているときに、偏心ホイールは按摩ヘッドを駆動して叩き按摩動作を発生し、このとき、按摩ヘッドは揉み按摩動作を同期に行っている少なくとも一組の叩き装置と、を含むことを特徴とする。
【考案の効果】
【００１０】
本考案の揉み按摩装置によれば、動力源が回転斜面と偏心ホイールとを伝動して、回転斜面の左右揺動によりユーザを揉むことができ、偏心ホイールによりユーザを叩くことができ、そして偏心ホイールに一方向軸受を設けることにより、揉み按摩のモード、又は揉み按摩をしながら叩き按摩をするモードを選択して按摩できるという効果を有する。
【図面の簡単な説明】
【００１１】
【図１】本考案の実施例の組立状態を示す斜視図である。
【図２】本考案の実施例を示す分解斜視図である。
【図３】本考案の実施例の伝動部分を示す平面図である。
【図４】本考案の実施例のケース部を取り除いた状態を示す斜視図である。
【図５】本考案の実施例の揉み動作及び叩き動作を示す模式図である。
【図６】本考案の実施例が流線型按摩器に適用される状態を前方の視点から見た斜視図である。
【図７】本考案の実施例が流線型按摩器に適用される状態を後方の視点から見た斜視図である。
【図８】本考案の別の実施例の伝動部分を示す平面図である。
【考案を実施するための形態】
【００１２】
以下、本考案の実施の形態を図面に基づいて説明する。
図１乃至図５を参照する。図１は本考案の実施例の組立状態を示す斜視図であり、図２は本考案の実施例を示す分解斜視図であり、図３は本考案の実施例の伝動部分を示す平面図であり、図４は本考案の実施例のケース部を取り除いた状態を示す斜視図であり、図５は本考案の実施例の揉み動作及び叩き動作を示す模式図である。本考案の揉み按摩装置は、ケース部１０と、動力源と、一組の第１伝動装置３０と、一組の第２伝動装置４０と、少なくとも一組の揉み装置５０と、少なくとも一組の第３伝動装置６０と、少なくとも一組の叩き装置７０と、を含む。
【００１３】
前記動力源は、モータ２０を採用してもよく、モータ２０がケース部１０の内部に組み付けられる。
【００１４】
一組の第１伝動装置３０は、ウォームギア３１と、第１伝動軸３２と、第１ギア３３と、第２ギア３４と、第３ギア３５と、を含み、ケース部１０の内部に組み付けられる。モータ２０のシャフト２１は、ウォームギア３１に固定されて、ウォームギア３１を駆動できる。第１伝動軸３２には、第１ギア３３と、第２ギア３４と、が固定される。第１伝動軸３２に一方向軸受３６が組み付けられる。一方向軸受３６の外周面に第３ギア３５が組み付けられる。ウォームギア３１は、第１伝動軸３２に設けられる第１ギア３３を駆動する。
【００１５】
一組の第２伝動装置４０は、第２伝動軸４１と、大径ギア４２と、を含み、ケース部１０の内部に組み付けられる。第１伝動装置３０の第２ギア３４は大径ギア４２と噛合う。大径ギア４２は、第２伝動軸４１に固定されて、第２伝動軸４１を駆動できる。
【００１６】
少なくとも一組の揉み装置５０は、回転斜面構造５１と、揺動アーム５２と、按摩ヘッド支持台５３と、二つの赤外線ランプ板５４と、二つの按摩ヘッド５５と、を含み、ケース部１０の内部からケース部１０の外部に突出している。回転斜面構造５１は第２伝動軸４１に固定され、これにより、第２伝動軸４１は回転斜面構造５１を駆動して回転できる。揺動アーム５２は回転斜面構造５１に当接しており、回転斜面構造５１の回転により、揺動アーム５２が左右に揺動される。揺動アーム５２に按摩ヘッド支持台５３が組み付けられ、これにより、按摩ヘッド支持台５３も左右に揺動される。按摩ヘッド支持台５３には、赤外線ランプ板５４と、按摩ヘッド５５と、が組み付けられる。按摩ヘッド５５は左右に揺動してユーザを揉むことができる。赤外線ランプ板５４による温湿布効果は按摩の補助となる。
【００１７】
少なくとも一組の第３伝動装置６０は、第３伝動軸６１と、第４ギア６２と、第５ギア６３と、第４伝動軸６４と、第６ギア６５と、を含み、ケース部１０の内部に組み付けられる。第１伝動装置３０により、一方向軸受３６を有する第３ギア３５が伝動される。第３ギア３５により第４ギア６２が駆動される。第４ギア６２と第５ギア６３とは第３伝動軸６１に固定される。第５ギア６３は、第４伝動軸６４に固定される第６ギア６５と噛合う。
【００１８】
少なくとも一組の叩き装置７０は、ケース部１０の内部からケース部１０の外部に突出している。第４伝動軸６４に偏心ホイール７１が設けられる。偏心ホイール７１に偏心軸７２が枢着される。偏心軸７２は、ユニバーサルジョイント７２１を介してレバー押えブロック７３と連接している。レバー押えブロック７３は按摩ヘッド支持台５３の傍に固定される。モータ２０が逆転しているときに、偏心ホイール７１は按摩ヘッド５５を駆動して叩き動作を発生し、このとき、按摩ヘッド５５は揉み按摩動作を同期に行っている。
【００１９】
上記の構成によれば、モータ２０のシャフト２１が回転しているときには、第１伝動装置３０の第１ギア３３及び第１伝動軸３２が駆動されて、第２ギア３４が大径ギア４２及び第２伝動軸４１を駆動して、第２伝動軸４１の回転により回転斜面構造５１が回転される。回転斜面構造５１の回転により、揺動アーム５２が左右に揺動され、ひいては按摩ヘッド支持台５２及び二つの按摩ヘッド５５は左右に揺動してユーザを揉むことができ、揉み按摩の効果を達成できる。
【００２０】
なお、モータ２０のシャフト２１が逆転しているときには、第１伝動装置３０の第１ギア３３及び第１伝動軸３２が駆動されて、第２ギア３４が大径ギア４２及び第２伝動軸４１を駆動して、第２伝動軸４１の回転により回転斜面構造５１が回転される。回転斜面構造５１の回転により、揺動アーム５２が左右に揺動され、ひいては按摩ヘッド支持台５２及び二つの按摩ヘッド５５は左右に揺動してユーザを揉むことができ、揉み按摩の効果を達成できる。このとき、第１伝動軸３２の逆転の動力は、一方向軸受３６を経由して第３ギア３５を駆動して、第３ギア３５が第３伝動装置６０の第４ギア６２及び第３伝動軸６１を駆動して、第５ギア６３が第６ギア６５及び第４伝動軸６４を駆動して、第４伝動軸６４の回転により、叩き装置７０の偏心ホイール７１が駆動されて、偏心ホイール７１の回転により、偏心軸７２が持続に押されて引かれるため、レバー押えブロック７３、按摩ヘッド支持台５３及び二つの按摩ヘッド５５が連動されて、ユーザに対して揉み按摩及び叩き按摩を同時に行うことができる。
【００２１】
図６及び図７を参照する。図６は本考案の実施例が流線型按摩器に適用される状態を前方から見た斜視図であり、図７は本考案の実施例が流線型按摩器に適用される状態を後方から見た斜視図である。本考案の揉み按摩装置は、按摩器８０の内部に取り付けられ、その全ての按摩ヘッド５５は按摩器８０の円弧状を呈する裏面に向いており、按摩器８０の両端にハンドル８１がそれぞれ設けられ、ユーザは二つのハンドル８１を握ることができ、按摩器８０の円弧度がユーザの背部の円弧度に丁度合う。このように、本考案の揉み按摩装置により、ユーザの背部に対して揉み按摩及び叩き按摩を行うことができる。
【００２２】
図２及び図８を参照する。図８は本考案の別の実施例の伝動部分を示す平面図である。本考案の按摩装置１は、更に、少なくとも一組の第３伝動装置６０ａと、少なくとも一組の叩き装置７０と、を含む。第３伝動装置６０は、一方向軸受９０と、第１プーリー９１と、第２プーリー９２と、ベルト９３と、第５伝動軸９４と、を含み、ケース部１０の内部に組み付けられる。第１伝動装置３０により、一方向軸受９０を有する第１プーリー９１が伝動され、第１プーリー９１がベルト９３を介して第２プーリー９２を駆動する。第２プーリー９２は第５伝動軸９４を駆動する。叩き装置７０は、ケース部１０の内部からケース部１０の外部に突出しており、第５伝動軸９４に偏心ホイール７１が設けられ、偏心ホイール７１に偏心軸７２が枢着される。偏心軸７２は、ユニバーサルジョイント７２１を介してレバー押えブロック７３と連接している。レバー押えブロック７３は按摩ヘッド支持台５３の傍に固定される。モータ２０が逆転しているときに、偏心ホイール７１は按摩ヘッド５５を駆動して叩き動作を発生し、このとき、按摩ヘッド５５は揉み動作を同期に行っている。
【００２３】
このように、本考案の特定の例を参照して説明したが、それらの例は、説明のためだけのものであり、本考案を限定するものではなく、この分野に通常の知識を有する者には、本考案の要旨および特許請求の範囲を逸脱することなく、ここで開示された実施例に変更、追加、または、削除を施してもよいことがわかる。
【産業上の利用可能性】
【００２４】
本考案は、按摩装置に適用することができる。
【符号の説明】
【００２５】
１：按摩装置
１０：ケース部
２０：モータ
２１：シャフト
３０：第１伝動装置
３１：ウォームギア
３２：第１伝動軸
３３：第１ギア
３４：第２ギア
３５：第３ギア
３６：一方向軸受
４０：第２伝動装置
４１：第２伝動軸
４２：大径ギア
５０：揉み装置
５１：回転斜面構造
５２：揺動アーム
５３：按摩ヘッド支持台
５４：赤外線ランプ板
５５：按摩ヘッド
６０：第３伝動装置
６０ａ：第３伝動装置
６１：第３伝動軸
６２：第４ギア
６３：第５ギア
６４：第４伝動軸
６５：第６ギア
７０：叩き装置
７１：偏心ホイール
７２：偏心軸
７３：レバー押えブロック
８０：按摩器
８１：ハンドル
９０：一方向軸受
９１：第１プーリー
９２：第２プーリー
９３：ベルト
９４：第５伝動軸
７２１：ユニバーサルジョイント
【図１】
0003181628.tif 000003
【図２】
0003181628.tif 000004
【図３】
0003181628.tif 000005
【図４】
0003181628.tif 000006
【図５】
0003181628.tif 000007
【図６】
0003181628.tif 000008
【図７】
0003181628.tif 000009
【図８】
0003181628.tif 000010